(57)【要約】    【課題】火点を確実に覆い尽くすと共に構造を簡単にしてコストを低減する。    【解決手段】  パラシュート型の消火装置１は、監視対象領域の直上に設置する取付マグネット３を備えた本体ベース２と、本体ベース２に設置され、所定温度に達した際に溶融して分解する感熱分解部６を備えた保持金具５と、保持金具５に折り畳み状態で保持され、保持金具５から落下した際に開いて監視対象領域を覆うパラシュート１０と、本体ベース２に係止され、パラシュート１０を保持した保持金具５の周囲を覆う本体カバー１１とを備える。    【選択図】      図１
2006122286.tif 000002
【特許請求の範囲】
【請求項１】
監視対象領域の直上に設置する取付部材を備えた本体ベースと、
前記本体ベースに設置され、所定温度に達した際に溶融して分解する感熱分解部を備えた保持金具と、
前記保持金具により折り畳み状態で保持され、前記保持金具から落下した際に開いて前記監視対象領域を覆うパラシュートと、
前記本体ベースに係止され、前記パラシュートを保持した前記保持金具の周囲を覆う本体カバーと、
を備えたことを特徴とする消火装置。
【請求項２】
請求項１記載の消火装置に於いて、前記保持金具は、一対のＬ字型プレートを有し、一対のＬ字型プレートを向かい合わせた状態で下部先端を所定温度への到達で溶融する低温溶融金属により固着した組立状態で前記各Ｌ字型プレートの上端を前記本体ベースの側端に係着したことを特徴とする消火装置。
【請求項３】
請求項１記載の消火装置に於いて、前記本体ベースの取付部材は、レンジフードの下部に吸着固定するマグネット部材であることを特徴とする消火装置。
【請求項４】
請求項１記載の消火装置に於いて、前記本体ベースの取付部材は、一端を壁面に固定し、他端を前記本体ベースに固定した水平回りに回動自在なリンクアームであることを特徴とする消火装置。
【請求項５】
監視対象領域の直上に設置する取付部材を備え、下向きに開閉自在な中空構造の本体ケースと、
前記本体ケースを閉鎖状態に固定すると共に所定温度に達した際に溶融して前記本体ケースを開放させる感熱分解部と、
前記保持金具により折り畳み状態で保持され、前記本体ケースから落下した際に開いて前記監視対象領域を覆うパラシュートと、
を備えたことを特徴とする消火装置。
【発明の詳細な説明】
【技術分野】
【０００１】
本発明は、てんぷら油の加熱等による台所の油火災を消火する住宅用の消火装置に関する。
【背景技術】
【０００２】
従来、住宅用の消火装置としては、居室の火災を想定したスプリンクラー消火設備、厨房の火災を想定したレンジフード消火装置、消火器等が商品化されている。例えば、スプリンクラー消火設備の場合、レンジの天井部に設置したスプリンクラーヘッドの感熱作動によって水道に接続された消火水が自動的に放出される。またレンジフード消火装置の場合は、コンロ上部のレンジフード内に設置した感熱部が溶解して自助的に消火剤が放出される。
【特許文献１】特開平８−１０７９４２号公報
【特許文献２】特開平１１−２２１２９７号公報
【特許文献３】特開平５−１４６５２２号公報
【特許文献４】特開２００２−２９１９２４号公報
【特許文献５】実開平５−７２５２号公報
【発明の開示】
【発明が解決しようとする課題】
【０００３】
しかしながら、このような従来の消火装置にあっては次のような問題がある。まずスプリンクラー消火設備は、コストが高く広く普及することが難しく、基本的には新築住宅に対しての設備であり、既存住宅に設置することが大変難しい。また、一度放出されると大きな水損が避けられない。更に、住宅内の改装、レイアウト変更に対して、ヘッド配置の変更との適切な対策が立てにくい。
【０００４】
またレンジフード消火設備は、消火剤の保存量に限界があるため、消火できない場合のリスクがある。更に、消火器の場合には、一人が操作するため、熟練度、訓練による慣れが必要があり、人がいても確実に消せるかの保証がない。
【０００５】
このような問題を解決するため本願発明者等にあっては、消火装置本体を例えば台所のレンジ上方でレンジフードの下となる壁面に設置し、調理中に天ぷら油に引火して燃え上がったような場合、センサにより油温度が発火温度を越えたことを検知して本体内に折り畳み状態で収納している防火布製のパラシュートをレンジに向けてバネの力等により放出して展開し、引火した天ぷら鍋を覆うことにより酸素の供給を遮断し、火災を抑制し、更には窒息消火を可能とする消火装置を提案している（特願２００４−１４４７２２号）。
【０００６】
このようなパラシュート型の消火装置にあっては、展開したパラシュートにより火点を覆い尽くすことが確実に消火するために必要であり、この点が解決課題として残されている。また消火装置の普及を図るため、消火装置としての機能を損なうことなく構造を簡略化してコストの低減を図ることも重要である。
【０００７】
本発明は、火点を確実に覆い尽くすと共に構造を簡単にしてコストを低減するパラシュート型の消火装置を提供することを目的とする。
【課題を解決するための手段】
【０００８】
この目的を達成するため本発明は次のように構成する。本発明の消火装置は、監視対象領域の直上に設置する取付部材を備えた本体ベースと、本体ベースに設置され、所定温度に達した際に溶融して分解する感熱分解部を備えた保持金具と、保持金具に折り畳み状態で保持され、保持金具から落下した際に開いて監視対象領域を覆うパラシュートと、本体ベースに係止され、パラシュートを保持した保持金具の周囲を覆う本体カバーとを備えたことを特徴とする。
【０００９】
ここで、本体ベースの取付部材は、レンジフードの下部に吸着固定するマグネット部材である。また本体ベースの取付部材は、一端を壁面に固定し、他端を本体ベースに固定した水平回りに回動自在なリンクアームとしても良い。
【００１０】
保持金具は、一対のＬ字型プレートを有し、一対のＬ字型プレートを向かい合わせた状態で下部先端を所定温度への到達で溶融する低温溶融金属により固着した組立状態で各Ｌ字型プレートの上端を本体ベースの側端に係着した構造とする。
【００１１】
本発明の別の形態となる消火装置にあっては、監視対象領域の直上に設置する取付部材を備え、下向きに開閉自在な中空構造の本体ケースと、本体ケースを閉鎖状態に固定すると共に所定温度に達した際に溶融して前記本体ケースを開放させる感熱分解部と、保持金具に折り畳み状態で保持され、本体ケースから落下した際に開いて監視対象領域を覆うパラシュートとを備えたことを特徴とする。
【発明の効果】
【００１２】
本発明によれば、消火装置の本体ベースを例えば台所のレンジフードの下部に例えばマグネット部材により吸着固定することで、火点の直上に設置することができ、調理中に天ぷら油に引火して燃え上がったような場合、保持金具を組立状態に固定している感熱分解構造のハンダヒューズなどの溶融で分解させて折り畳み状態で収納している防火布製のパラシュートを直下のレンジに向けて落下させることで展開し、引火した天ぷら鍋を覆うことにより酸素の供給を遮断し、火災を抑制し、更には窒息消火を可能とする。
【００１３】
また天ぷら油の引火で燃え上がった炎を放出して開いたパラシュートで覆うことで炎を押さえ込むことから、炎に妨げられることなく、安全にガスを止めることができる。
【００１４】
また折り畳み状態で収納しているパラシュートの保持を保持部材の熱分解により落下させて開かせるという簡単な構造であり、コスト的に安価にできる。
【発明を実施するための最良の形態】
【００１５】
図１は本発明による消火装置の説明図である。図１において、本発明の消火装置１は樹脂成形や鋼板などにより作られた本体ベース２を有し、本体ベース２の上部中央に取付部材として機能する取付マグネット３を設けている。取付マグネット３は本発明の消火装置１をレンジフードの下部に取付け、消火装置１を消火対象とする火点の直上に配置する。
【００１６】
取付マグネット３の左側にはリンク取付ネジ穴４が設けられ、ここに後の説明で明らかにするように、壁面に固定した取付リンクアームの先端を固定し、リンクアームにより消火装置１を火点の直上に配置できるようにしている。
【００１７】
本体ベース２に対しては保持金具５が装着されている。保持金具５はＬ字形に屈曲した金属プレートであり、一対の保持金具５を１組として組み立てられている。即ち、Ｌ字形の保持金具５を向かい合わせた状態で底部先端を重ね合せ、この重ね合わせ部分を例えば半田ヒューズなどにより固着して感熱分解部６を構成している。
【００１８】
感熱分解部６は火点からの炎による熱を受けて分解する。例えば天ぷら鍋を調理する際の油の発火点温度が３６０°〜３８０°Ｃであるが、その直上に設置されている感熱分解部の作動温度を例えば２００℃の作動温度を設定し、２００℃を超える熱を受けたときに感熱分解部６が溶けて一対の保持金具５の組み立て状態を分解させるようにしている。
【００１９】
感熱分解部６により組み立てられた保持金具５は、上端をＬ字形に屈曲することで本体ベース２に対する係着部７を形成し、この係着部７により本体ベース２の周縁部に係着支持されている。また保持金具５の上部先端にはバネ係止部８が起立され、このバネ係止部８の間に開放バネ９を装着し、開放バネ９の圧縮力により感熱分解部６により組み立てられた一対の保持金具５を分解方向に付勢している。
【００２０】
保持金具５の中には、パラシュート１０が折り畳み状態で収納されている。保持金具５に対するパラシュート１０の収納状態で、本体ベース２に対しては下側から本体カバー１１が装着されている。
【００２１】
本体カバー１１は上部に開口した箱型形状を持ち、上部開口部にカバー取付爪１２を４箇所に設けており、カバー取付爪１２により本体ベース２に取り付けられる。本体カバー１１は保持金具５に収納されたパラシュート１０に対する外部からの埃の付着を防止する役割をはたしている。火点からの熱により感熱分解部６が溶けて保持金具５が分解した際に、保持金具５が開放バネ９の力により外側に開放されるため、この開放動作で本体カバー１１は装置から弾き飛ばされるようになっている。
【００２２】
図２は本発明の消火装置のリンクアームによる取付構造を示した説明図である。図２において、本発明の消火装置１は本体ベース２の上部にリンク取付ネジ穴４を設けている。消火装置１を火点の直上に設置する際に、例えばレンジフードが設置されておらず、取付マグネット３が取付ができない場合には、取付リンクアーム１３を使用する。
【００２３】
取付リンクアーム１３は壁面固定部１４、リンク１６、２０から構成される。壁面固定部１４は取付ビス１５により壁面に固定される。リンク１６は壁面固定部１４に一端を固着している。リンク１６に対するリンク２０の取付はスライド溝１７と２１を合わせた状態でスライド溝１７、２１に対し、蝶ネジ１８を通して下からナット１９で止めることで固定する。
【００２４】
リンク１６に対するリンク２０の取付位置はスライド溝１７、２１の位置を調整することで適宜の長さとすることができる。また固定側となるリンク１６に対し、リンク２０側はナット１９による蝶ネジ１８の固定部分を支点として水平回りに自由に回動することができる。リンク２０に対してはスライド溝２１を通して、蝶ネジ１８を消火装置１のリンク取付ネジ穴４にねじ込むことで固定できる。
【００２５】
このような取付リンクアーム１３を使用することで、レンジフードが火点となるレンジの直上になくても、本発明の消火装置１を火点となるレンジの直上に配置させることができる。
【００２６】
図３は図１の消火装置１の本体ベース２を取り出して説明している。本体ベース２は合成樹脂プレートや鋼板などで形成され、上部に取付マグネット３を装着するとともにリンク取付ネジ穴４を備えたナット部材を取り付けている。
【００２７】
図４は図１の保持金具５の説明図である。保持金具５は２つを１組として感熱分解部６により組み立てられており、この組立体を２組使用して図１に示したように本体ベース２にその係着部７により取付け、この取付状態で横方向から折り畳み状態のパラシュート１０を収納して保持する。また上部のバネ係止部８の間には開放バネ９が装着されており、組み立て状態で左右の保持金具５を下向きに開放する方向に付勢している。
【００２８】
図５は図１の本体カバー１１の説明図である。本体カバー１１は感熱分解部６が分解した時に保持金具５の開放動作で消火装置から弾き飛ばされるように比較的やわらかい材質で作られており、上部の４箇所に本体ベース２に取り付けるためのカバー取付爪１２を設けている。また底部の２箇所の保持金具５の感熱分解部６に相対した位置に感熱開口２３を形成し、火点からの熱が効率よく保持金具５の感熱分解部６に加わるようにしている。
【００２９】
図６は図１の保持金具５に保持されている折り畳み状態のパラシュート１０の説明図である。パラシュート１０は防火布２４を使用し、折り畳みの状態で保持金具５の中に収納して保持するようにしている。
【００３０】
図７は本発明で使用するパラシュート１０の展開状態の説明図である。図７において、パラシュート１０は例えば矩形状の防火布２４を使用しており、防火布２４の対角線方向にバネ製のワイヤーなどを使用した骨組バネ２５を交差して２本配置することで下側に開いたドーム状態を展開状態で形成している。
【００３１】
また防火布２４のドーム状の頭頂部には骨組バネ２５に対し、４５度ずれた位置で交差する状態に２本の展開板バネ２６が配置され、展開板バネ２６のフラットとなるためのバネ力により防火布２４が開かれている。
【００３２】
このようなパラシュート１０は骨組バネ２５及び展開板バネ２６が可撓性をもっていることから図６に示したように小さく畳むことができ、畳んだ状態で図１のように保持金具５に収納されて保持されている。
【００３３】
図８は図１の消火装置１の設置時と感熱作動時の説明図である。図８（Ａ）は設置時の説明図であり、取付マグネット３によりレンジフードの下に取り付けられた状態で、本体ベース２に対し感熱分解部６により組み立てられた保持金具５を係着しており、保持金具５の内部にパラシュート１０を折り畳み状態で収納している。また保持金具５の外側には想像線で示すように本体カバー１１が装着され、内部に収納したパラシュート１０に対する埃の付着などを防いでいる。
【００３４】
図８（Ｂ）は消火装置１が感熱作動した状態である。図８（Ａ）の設置状態で保持金具５の下部の感熱分解部６に熱が加わり、感熱分解部６に使用している温度ヒューズの溶解温度、例えば２００℃を超えると感熱分解部６が溶けて保持金具５の下部先端側が分離し、同時に上部に設けている開放バネ９の引っ張り力により、保持金具５は上部を支点に外側に開放し、これにより本体カバー１１を弾き飛ばし、中に収納されていたパラシュート１０を下方に落下させ、パラシュート１０は保持金具５による拘束状態から開放されることでドーム状に展開し、火点を覆うように落下する。
【００３５】
図９はレンジフードに対する本発明の消火装置の設置状態の説明図である。図９において、レンジフード２７は料理台に設けたレンジ２８の上部に設置されていることから、このレンジフード２７のレンジ２８の直上となる位置に取付マグネット３により消火装置１を吸着固定している。
【００３６】
このような消火装置１の取付状態でレンジ２８に調理鍋２９を載せて例えば天ぷらを揚げており、この状態で万が一調理鍋２９の油の温度が３６０℃〜３８０℃の範囲内の発火温度を超えた場合に発火して炎３０が燃え上がる。このような調理鍋２９が発火すると、消火装置１の本体カバー１１の内部に設けている保持金具５の感熱作動部６が炎３０による熱を受け、温度ヒューズの溶解温度を超えると感熱分解部６が溶ける。
【００３７】
この状態で保持金具５の感熱分解部６が溶けると、図１０に示すように、開放バネ９の力で外側に開放し、本体カバー１１を弾き飛ばし、内部に保持していたパラシュート１０を火点となる調理鍋２９の炎３０に対し落下させ、開放状態でのパラシュート１０の拘束が解かれることでパラシュート１０はドーム状に展開しながら落下し、炎３０を上から押さえ込んで、最終的には調理鍋２９全体を覆うパラシュート１０ａの位置に落下する。
【００３８】
このため油が着火して炎３０が燃え上がっている調理鍋２９は展開したパラシュート１０により確実に覆われることとなり、周囲からの酸素の供給が低下することで急速に炎３０が小さくなり、パラシュート１０内に炎３０による煙が充満することから酸素がほとんどなくなって速やかに窒息消火に至る。
【００３９】
また調理鍋２９が発火した際、近くに人がいた場合にはパラシュート１０の放出により調理鍋２９を乗せたレンジ２８が完全に覆われて、炎３０をパラシュート１０内に封じ込めるため、炎３０の熱を受けることなく速やかにレンジ２８のコンロの火を止めることもできる。
【００４０】
図１１は本発明の消火装置の他の実施形態で使用する保持金具の説明図である。図１１において、この実施形態の保持金具３１は、図４の実施形態と同様、Ｌ字形の金属プレートを２組使用しており、下部先端を重ねあわせて温度ヒューズなどで固着することで、感熱分解部３２を構成している。
【００４１】
一方、保持金具３１の上部を９０度ひねる曲げ加工を行うことで、前方に楔形に開口した係着部３３を形成したバネ係止部３４を設け、バネ係止部３４の間に開放バネ９を装着している。この図１１に示す感熱分解部３２で組み立てられ且つ開放バネ９を装着した保持金具３１の組立体は、図１に示したように２組使用することで本発明の消火装置を構成する。
【００４２】
図１２は図１１の保持金具３１を用いた本発明の消火装置の説明図であり、図１２（Ａ）に設置状態を示し、図１２（Ｂ）に感熱作動時の動作状態を示している。
【００４３】
図１２（Ａ）において、この実施形態にあっては、図１１に示した構造の保持金具３１の一対組み合わせて感熱分解部３２で固定した状態で、本体ベース２に対し上部の係着部３３を係着し、バネ係止部３４の間に開放バネ９を装着している。
【００４４】
保持金具３１の間には折り畳み状態でパラシュート１０が収納されており、また保持金具３１の外側には本体カバー１１が装着されている。即ち図１２（Ａ）の消火装置１にあっては保持金具３１以外は図１の実施形態と同じ構成となる。
【００４５】
図１２（Ｂ）は保持金具３１の感熱分解部３２に対し火点からの熱を受けて熱分解した作動状態の説明図であり、保持金具３１は下部先端の感熱分解部３２が溶けることで分離し、上部に設けている開放バネ９の引っ張り力で係着部３３を支点に外側に開放し、内部に収納しているパラシュート１０を下方に落下し、パラシュート１０を展開させながら火点に向けて落下させる。
【００４６】
図１３は本発明の消火装置の他の実施形態の説明図であり、この実施形態にあってはケースそのものを分解してパラシュートを落下させるようにしたことを特徴とする。図１３（Ａ）は側面図、図１３（Ｂ）は正面図である。
【００４７】
図１３の消火装置１において、本体ケース３５は上部の本体ベース部分と両端の下向きの三角形状の側壁部分で構成され、本体ケース３５の両側にヒンジ４１により開閉自在にケース扉３６を設け、ケース扉３６の下端の２箇所に感熱分解部３７を設け、半田ヒューズなどを使用してケース扉３６を閉鎖状態に固定している。
【００４８】
また本体ケース３５の上部中央には取付マグネット３８が装着されている。本体ケース３５の内部には折り畳み状態でパラシュート３９が収納され、パラシュート３９の上部には押出バネ４０が設けられている。
【００４９】
図１４は図１３の消火装置の感熱作動時の説明図である。図１４において、火点からの熱を受けて感熱分解部３７が溶けると、ケース扉３６の開閉固定状態が解除されてヒンジ４１を中心に先端が開き、内部に保持されていたパラシュート３９が押出バネ４０の力を受けて下方に押し出されて落下し、拘束が解かれることでパラシュート３９はドーム状に展開し、火点に覆うように落下する。
【００５０】
押圧バネ４０が本体ケース３５とパラシュート３９の上部に接続されているため、パラシュート３９の落下後は、押圧バネ４０の引張り力でパラシュート３９が図１４に示すような火炎を覆うように上下が正しい向きで開き、確実に消火を行うことができる。
【００５１】
図１５はケース分解構造を備えた本発明の消火装置１の他の実施形態の説明図であり、図１５（Ａ）が側面図、図１５（Ｂ）が正面図となる。この実施形態の消火装置１において、本体ケース４２は側面で開放した２つの分割ケース４３の開口部をつきあわせ上部のヒンジ５０で下向きに開放自在に組み合わせており、分割ケース４３の下部の２箇所に感熱分解部４８を設け、半田ヒューズなどにより閉鎖状態に固着している。
【００５２】
本体ケース４２の上部の分割ケース４３の部分にはバネ係止部４６が設けられ、この間に開放バネ４７を設け、分割ケース４３を開放方向に付勢している。また本体ケース４２上部には固定部４４を介して取付マグネット４５が設けられ、取付マグネット４５によりレンジフードの下部に装着できるようにしている。本体ケース４２の内部にはパラシュート４９が折り畳み状態で収納保持され、パラシュート４９の上部には押出バネ５１が設けられている。
【００５３】
図１６は図１５の消火装置１の感熱作動時の説明図である。図１６において、火点からの熱により分割ケース４３の下側を固定して閉鎖している感熱分解部４８が溶けると、分割ケース４３は開放可能状態となり、上部に設けている開放バネ４７のバネ力によりヒンジ５０を中心に下向きに開放して開き、内部に収納しているパラシュート４９が押出バネ５１の力で下方に押し出されて落下し、拘束が解かれることでパラシュート４９がドーム状に展開して火点を覆うように落下することになる。
【００５４】
尚、上記の実施形態は台所の設置を例にとるものであったが、本発明はこれに限定されず石油ストーブや灰皿などの火元となる機器を対象に自由に設置することができる。
【００５５】
また本発明はその目的と利点を損なうことのない適宜の変形を含み、更に上記の実施形態に示した数値による限定は受けない。
【図面の簡単な説明】
【００５６】
【図１】本発明の消火装置の説明図
【図２】本発明の消火装置のリンクアームによる取り付け構造を示した説明図
【図３】図１の本体ベースの説明図
【図４】図１の保持部材の説明図
【図５】図１の本体カバーの説明図
【図６】図１の折り畳み状態のパラシュートの説明図
【図７】本発明で使用するパラシュートの展開状態の説明図
【図８】図１の消火装置の設置時と感熱作動時の説明図
【図９】レンジフードに対する本発明の消火装置の設置状態の説明図
【図１０】油火災に対しパラシュートを放出した本発明の消火装置の説明図
【図１１】本発明の消火装置の他の実施形態で使用する保持金具の説明図
【図１２】図１１の保持金具を用いた本発明の消火装置の説明図
【図１３】ケース分解構造を備えた本発明の消火装置の他の実施形態の説明図
【図１４】図１２の実施形態の感熱作動時の説明図
【図１５】ケース分解構造を備えた本発明の消火装置の他の実施形態の説明図
【図１６】図１４の実施形態の感熱作動時の説明図
【符号の説明】
【００５７】
１：消火装置
２：本体ベース
３、３８、４５：取付マグネット
４：リンク取付ねじ穴
５、３１：保持金具
６、３２、３７、４８：感熱分解部
７、３３：係着部
８、３４、４６：バネ係止部
９、４７：開放バネ
１０、３９、４９：パラシュート
１１：本体カバー
１２：カバー取付爪
１３：取付リンクアーム
１４：壁面固定部
１５：取付ビス
１６、２０：リンク
１７、２１：スライド溝
１８、２２：蝶ネジ
１９：ナット
２３：感熱開口
２４：防火布
２５：骨組バネ
２６：展開板バネ
２７：レンジフード
２８：レンジ
２９：調理鍋
３０：炎
３５、４２：本体ケース
３６： ケース扉
４０、５１：押出バネ
４１，５０：ヒンジ
４３：分割ケース
４４：固定部
【図１】
2006122286.tif 000003
【図２】
2006122286.tif 000004
【図３】
2006122286.tif 000005
【図４】
2006122286.tif 000006
【図５】
2006122286.tif 000007
【図６】
2006122286.tif 000008
【図７】
2006122286.tif 000009
【図８】
2006122286.tif 000010
【図９】
2006122286.tif 000011
【図１０】
2006122286.tif 000012
【図１１】
2006122286.tif 000013
【図１２】
2006122286.tif 000014
【図１３】
2006122286.tif 000015
【図１４】
2006122286.tif 000016
【図１５】
2006122286.tif 000017
【図１６】
2006122286.tif 000018